(57)【特許請求の範囲】
【請求項１】
ダストキャップと口栓本体とプランジャーとダイヤフラムバルムとからなり内袋に取り付けたスパウトに嵌着するアダプター口栓であって、前記口栓本体が、周壁筒の外周面に螺合部を有し、該周壁筒の下端に嵌着筒を下面に垂設し外周にローレットを形成するフランジを周設し、前記周壁筒の内側下方に、中央にプランジャー摺動孔をもち、該プランジャー摺動孔の外周に複数の同幅のフィンを放射状に設けてフィン間に流路孔を設け、前記複数のフィンのうちゲートを形成するフィンの面を他のフィンの面より厚みを薄くする方向に面位置を変え、前記フィンの外側位置の下面にコンタクトリングを設け、該コンタクトリングの外側の下面の前記流路孔の延長線上に複数の放射状のリブを内筒内周に達するように設けた封鎖板を設け、前記周壁筒の下面に外周面に内袋のスパウトとの密接面をもち内周面にリング状の嵌合部をもつ内筒を垂設し、前記ダストキャップが、前記口栓本体の周壁筒の上端開口部に嵌着し、前記プランジャーが、前記口栓本体の封鎖板のプランジャー摺動孔に挿着し、前記ダイヤフラムバルムが、前記口栓本体の封鎖板の下方にコンタクトリングと密接させて、前記口栓本体の内筒のリング状の嵌合部に嵌合して定着したことを特徴とするアダプター口栓。
【請求項２】
前記口栓本体のフランジの外周のローレットが、スライドコア構造の金型で形成されたことを特徴とする請求項１記載のアダプター口栓。
【発明の詳細な説明】
【０００１】
【発明の属する技術分野】
本発明は、液体内容物に使用される外箱に内袋が収容されているバッグインボックスなどの液体用容器のスパウトに嵌着して使用するアダプター口栓に関するものである。
【０００２】
【従来の技術】
従来、バッグインボックスなどの液体用容器に取り付けるアダプター口栓としては、キャップにディスペンサー機能を付与したものが知られており、例えば、内袋の開口部に熱融着して取り付けられたスパウトに口栓本体を嵌着し、この口栓本体の上端開口部にダストキャップを嵌着した構造になっている。そして、口栓本体は、中央にプランジャー摺動孔をもち、その外周に複数の流路孔をもつ封鎖板が周壁筒の内側に設けられ、この封鎖板の中央のプランジャー摺動孔にプランジャーが摺動可能に取り付けられ、このプランジャーの下部にはダイヤフラムバルムが取り付けられて、閉鎖板の下面の流路孔より外側に設けられたコンタクトリングと密接し、流路孔が封止されている。
【０００３】
この状態で液体用容器は輸送又は保管されるが、内袋に収容されている液体内容物を注出するときには、図３に示すように、アダプター口栓の口栓本体に嵌着するダストキャップを取り外して、口栓本体（１００）にコネクター（４００）を挿着し、このコネクターにチューブを接続して、ポンプで吸引することにより行われる。このとき、コネクターの中栓（４１０）が、プランジャー（１６０）を押してダイヤフラムバルム（１７０）の中央部を凹ませ、これにより口栓本体とダイヤフラムバルムとの間に隙間が生じて、内袋内の液体内容物が流路孔（１７１，１３２）を通ってコネクター内に流入し外部に注出される。なお、輸送又は保管時の液体用容器は、図１に示すように、プランジャー（１６０）が上昇した位置にあり、ダイヤフラムバルム（１７０）の上面に、口栓本体の閉鎖板（１３０）の下面に設けられたコンタクトリング（１３４）の先端が密接して、液漏れを防ぐ構造になっている。
【０００４】
【発明が解決しようとする課題】
しかしながら、上述のアダプター口栓は、口栓本体の中央のプランジャー摺動孔の外側に複数の流路孔が周設されており、口栓本体を熱可塑性樹脂で射出成形するときに、口栓本体の流路孔の外側の封鎖板にウェルドマーク（ウェルドラインともいい、溶融材料の２つ以上の流れの合流部分に発生する不完全な融着部分）を生じ易く、このウェルドマークに起因する密封不良やクラックなどの事故が発生することがあった。
【０００５】
なお、上述の従来のアダプター口栓の口栓本体の構造は、例えば図４（ａ）及び（ｂ）に示すように、周壁筒（１１０）の外周面に螺合部（１１１）を有し、この周壁筒の下端に嵌着筒（１４０）を下面に垂設し外周に無理抜きで形成されたローレット（１２１）をもつフランジ（１２０）を周設し、周壁筒の内側下方に、中央にプランジャー摺動孔（１３１）をもち、このプランジャー摺動孔の外周に複数のフィン（１３３）を放射状に設けてフィン間に流路孔（１３２）を設け、複数のフィンのうちゲート（１０１）を形成するフィンの幅を他のフィンの幅より大きくし、フィンの外側位置の下面にコンタクトリング（１３４）を設けた封鎖板（１３０）を設け、周壁筒の下面に外周面に内袋のスパウトとの密接面（１５１）をもち内周面に間欠状の嵌合部（１５２）をもつ内筒（１５０）を垂設したものであった。
【０００６】
本発明は、上述の従来のアダプター口栓の問題を解決したものであり、口栓本体に射出成形時のウェルドマークが発生しにくく、密封性が良好で扱い易いアダプター口栓を提供するものである。
【０００７】
【課題を解決するための手段】
すなわち、本発明の第１の発明は、ダストキャップと口栓本体とプランジャーとダイヤフラムバルムとからなり内袋に取り付けたスパウトに嵌着するアダプター口栓であって、前記口栓本体が、周壁筒の外周面に螺合部を有し、該周壁筒の下端に嵌着筒を下面に垂設し外周にローレットを形成するフランジを周設し、前記周壁筒の内側下方に、中央にプランジャー摺動孔をもち、該プランジャー摺動孔の外周に複数の同幅のフィンを放射状に設けてフィン間に流路孔を設け、前記複数のフィンのうちゲートを形成するフィンの面を他のフィンの面より厚みを薄くする方向に面位置を変え、前記フィンの外側位置の下面にコンタクトリングを設け、該コンタクトリングの外側の下面の前記流路孔の延長線上に複数の放射状のリブを内筒内周に達するように設けた封鎖板を設け、前記周壁筒の下面に外周面に内袋のスパウトとの密接面をもち内周面にリング状の嵌合部をもつ内筒を垂設し、前記ダストキャップが、前記口栓本体の周壁筒の上端開口部に嵌着し、前記プランジャーが、前記口栓本体の封鎖板のプランジャー摺動孔に挿着し、前記ダイヤフラムバルムが、前記口栓本体の封鎖板の下方にコンタクトリングと密接させて、前記口栓本体の内筒のリング状の嵌合部に嵌合して定着したことを特徴とするアダプター口栓である。
【０００８】
次に、本発明の第２の発明は、前記口栓本体のフランジの外周のローレットが、スライドコア構造の金型で形成されたことを特徴とする第１の発明に記載のアダプター口栓である。
【０００９】
【作用】
本発明のアダプター口栓は、口栓本体の封鎖板のプランジャー摺動孔の外周に放射状に設ける複数のフィンの幅を従来と異なり同幅にし、また、封鎖板の下面のコンタクトリングの外側の流路孔の延長線上に複数の放射状のリブを内筒内周に達するように設けられており、射出成形時の金型内での溶融材料の流動が良好であり、口栓本体に射出成形時のウェルドマークが発生しにくく、成形形状再現性が良く、強度も強く、液体用容器のスパウトに嵌着したときに、密封性が良好となる。
【００１０】
また、口栓本体の内周面に従来の間欠状とは異なりリング状の嵌合部が設けられており、この嵌合部にダイヤフラムバルムがしっかり嵌合して定着されるため、脱落やセット不良の発生が防げ、密封性が良好となる。
【００１１】
また、口栓本体のフランジの外周のローレットが、従来の無理抜きでなくスライドコア構造の金型で形成されるため、成形形状再現性がよく、接触断面を大きく取ることができ、つかみ易くて扱い易い。また、複数のフィンのうちゲートを形成するフィンの面を、他のフィンの面より厚みを薄くする方向に面位置を変えあり、ゲート残りが機能上の障害となることがない。
【００１２】
【発明の実施の形態】
本発明のアダプター口栓（１０）は、図１に示すように、ダストキャップ（２００）と口栓本体（１００）とプランジャー（１６０）とダイヤフラムバルム（１７０）とからなり、バッグインボックスなどの内袋に熱融着して取り付けられたスパウトに嵌着して使用するものであり、ダストキャップや口栓本体は、その使用目的に合わせて材質を選出し、ポリエチレンやポリプロピレンなどの熱可塑性樹脂を用いて射出成形するものである。
【００１３】
そして、一実施形態の口栓本体（１００）の構造は、図２（ａ）乃至（ｃ）に示すように、周壁筒（１１０）の外周面にコネクター固定キャップとの通常雄ネジの螺合部（１１１）を有し、この周壁筒の下端に内面に内袋のスパウトとの通常リング状の嵌合部（１４１）をもつ嵌着筒（１４０）を下面に垂設し外周にスライドコア構造の金型で形成されたローレット（１２１）を形成するフランジ（１２０）を周設し、周壁筒の内側下方に、中央にプランジャー摺動孔（１３１）をもち、このプランジャー摺動孔（１３１）の外周に通常６個の複数の同幅のフィン（１３３）を放射状に設けてフィン間に流路孔（１３２）を設け、複数のフィンのうちゲート（１０１）を形成するフィンの面を他のフィンの面より厚みを薄くする方向に面位置を変え、例えば、フィンの上面にゲートを形成するときには、ゲートを形成するフィンの面を他のフィンの面より下げ、下面にゲートを形成するときには、ゲートを形成するフィンの面を他のフィンの面より上げ、フィンの外側位置の下面にダイヤフラムバルムとのコンタクトリング（１３４）を設け、このコンタクトリングの外側の下面の流路孔の延長線上に通常６個の複数の放射状の溶融材料の流動を向上するためのリブ（１３５）を内筒内周に達するように設けた封鎖板（１３０）を設け、周壁筒の下面に外周面に、内袋のスパウトとの密接面（１５１）をもち内周面にダイヤフラムバルムとのリング状の嵌合部（１５２）をもつ内筒（１５０）を垂設するものである。
【００１４】
次に、図１に示すように、上述の口栓本体（１００）の周壁筒（１１０）の上端開口部にダストキャップ（２００）を嵌着し、封鎖板（１３０）のプランジャー摺動孔（１３１）にプランジャー（１６０）を挿着し、封鎖板の下方にダイヤフラムバルム（１７０）をコンタクトリング（１３４）と密接させて内筒（１５０）のリング状の嵌合部（１５２）に嵌着して本実施形態のアダプター口栓（１０）を作製し、この口栓を水を充填した内袋のスパウトに嵌着して密封性の評価を行った。耐熱５０℃又は常温の５日間倒立静置及び減圧試験を行ったが、液漏れしたものは皆無であった。また、ダストキャップを取り、口栓本体にコネクターを挿着して接続しポンプで吸引すると、液体内容物が良好に注出された。
【００１５】
【発明の効果】
本発明のアダプター口栓は、口栓本体の封鎖板のプランジャー摺動孔の外周に設ける複数のフィンの幅が同幅であり、また、封鎖板の下面のコンタクトリングの外側に複数の放射状のリブが設けられ、射出成形時の金型内での溶融材料の流動が良好で、ウェルドマークが発生しにくく、形状再現性や強度が強く、密封性が良好な口栓である。
【００１６】
また、口栓本体の内筒の内周面のリング状の嵌合部に、ダイヤフラムバルムがしっかり嵌合して定着し、脱落やセット不良の発生が防げ、密封性が良好であり、また、口栓本体のフランジの外周のローレットが、スライドコア構造の金型で形成され、成形形状再現性がよく、接触断面を大きく取ることができ、つかみ易くて扱い易い。
【図面の簡単な説明】
【図１】本発明の一実施形態のアダプター口栓の一部を切り欠いた側面図である。
【図２】（ａ）は、本発明の一実施形態のアダプター口栓の口栓本体の平面図であり、（ｂ）は、一部を切り欠いた側面図であり、（ｃ）は、底面図である。
【図３】内袋のスパウトに嵌着する口栓本体に、アダプターコネクターを取り付けた状態を示す説明図である。
【図４】（ａ）は、従来の一例のアダプター口栓の口栓本体の平面図であり、（ｂ）は、底面図である。
【符号の説明】
１０……アダプター口栓
２０……内袋
１００……口栓本体
１０１……ゲート
１１０……周壁筒
１１１……螺合部
１２０……フランジ
１２１……ローレット
１３０……閉鎖板
１３１……プランジャー摺動孔
１３２，１７１……流路孔
１３３……フィン
１３４……コンタクトリング
１３５……リブ
１４０……嵌着筒
１４１，１５２……嵌合部
１５０……内筒
１５１……密接面
１６０……プランジャー
１７０……ダイヤフラムバルム
２００……ダストキャップ
３００……スパウト
４００……コネクター
４１０……中栓
【図１】
0003832149.tif 000002
【図２】
0003832149.tif 000003
【図３】
0003832149.tif 000004
【図４】
0003832149.tif 000005